(57)【要約】      （修正有）【課題】病院用ベッドにおいて、患者がベッドに入る或いはベッドから出るなどの特定の各動作を行うことを支援する少なくとも１つの調整可能な横方向グリップを有する患者移動補助装置を提供する。【解決手段】患者移動補助装置２５は、ベッドの幅に沿って配向された長さを有する支持横材２７を含む。横材２７は、調整可能な横方向グリップ３１が結合された少なくとも１つのアーム２９を収納する。少なくとも１つのアーム２９は、横材２７に対して伸張したり格納したりする。【選択図】図３
2011019919.tif 000002
【特許請求の範囲】
【請求項１】
病院用ベッドの患者移動補助装置であって、前記患者移動補助装置は、前記ベッドの幅に沿って配向された長さを有し、かつ両端のそれぞれに前記ベッドのフレーム要素に取り付けるように構成されたカップラーを設けた支持横材を備え、前記横材は中空でグリップを終端とする少なくとも１つのアームを収納し、前記グリップが前記横材のそれぞれの末端付近にある保管位置から前記ベッドの縁の上方及び外側に位置する使用位置に移動できるように、前記アームは前記横材と共に伸縮構造を画定する、患者移動補助装置。
【請求項２】
前記少なくとも１つのアームは、それぞれがグリップを有し、前記末端で、前記支持横材の各端部から突き出している２つのアームを備える、請求項１に記載の患者移動補助装置。
【請求項３】
前記横材は中間部分及び前記中間部分の各末端にそれぞれ配置された２つのガイド末端金具を備え、前記カップラーは横方向に外側に開いた前記ガイド末端金具内で画定されるU型ブラケットを備え、前記Ｕ型ブラケットの開口の高さは一般に前記ベッドの前記フレーム要素の厚みに対応し、これにより前記横材は平行な２つの前記長手要素の間に取り付けられる、請求項２に記載の患者移動補助装置。
【請求項４】
前記Ｕ型ブラケットの少なくとも１つのアームは柔軟性があり、前記移動補助装置を前記ベッドフレームに取り付けるために、前記フレーム要素内の対応する穴と協働する突起を含む、請求項３に記載の患者移動補助装置。
【請求項５】
各アームは曲線状であり、各ガイド末端金具は全体的に上行するガイドチャネルを内部備え、それぞれのアームは摺動し、前記チャネルは、それぞれ前記中間部分の対応する末端で噛み合う前記各末端金具の開口部と、前記各カップラーの上方に画定される上部出口との間に延在している、請求項３に記載の患者移動補助装置。
【請求項６】
前記曲線状アームはそれぞれ曲線管状部分を有し、その末端の１つが前記末端金具の前記上部出口から突き出ている前記グリップをそれぞれ有し、前記曲線状アームはそれぞれ前記管状部分のもう一方の端部の中に摺動しながら噛み合うロックレバーを有し、前記各レバーは前記管状部分から突き出る円形の末端を有し、かつ前記ガイドチャネルの内壁に沿って画定されたくぼみと噛み合う横方向延長部が設けられ、前記管状部分にはそれぞれ前記もう一方の末端付近に前記くぼみと噛み合う横断ピンが備え付けてあり、前記各レバーを前記曲線管状部分の内側に向かって押すために、第1バネが前記各レバーの空洞内に設置され、前記各レバーの内側の末端はロックを形成する横方向の押しボタンが設けられ、前記管状部分にはそれぞれ前記押しボタン付近に位置する穴が設けられ、第２バネが前記各押しボタンに取り付けられ、前記押しボタンが前記各穴に面した位置に達した場合に前記押しボタンを押して前記各穴にはまるようにするために、前記第２バネは前記曲線管状部分の内壁と摺動接触している、請求項５に記載の患者移動補助装置。
【請求項７】
前記末端金具は、前記グリップを保管位置に固定するために、前記ガイドチャネルの前記各上部出口の付近に画定された前記グリップの弾性挿入くぼみをそれぞれ備える、請求項５に記載の患者移動補助装置。
【請求項８】
前記カップラーは、前記患者の形態によって前記グリップの位置を調整することを可能にする前記ベッドフレームの回動部分に結合する、請求項１に記載の患者移動補助装置。
【請求項９】
前記グリップは楕円形の断面のらせん状セグメントを含む、請求項１に記載の患者移動補助装置。
【請求項１０】
前記グリップは曲線状のハンドルを含む、請求項１に記載の患者移動補助装置。
【請求項１１】
前記横材は、中間部分及び前記中間部分の各末端にそれぞれ配置された２つのガイド末端金具を備え、前記カップラーは横方向に外側に開いた前記ガイド末端金具内で画定されるU型ブラケットを備え、前記Ｕ型ブラケットの開口の高さは一般に前記ベッドの前記フレーム要素の厚みに対応し、これにより前記横材は平行な２つの前記長手要素の間に取り付けられる、請求項１に記載の患者移動補助装置。
【請求項１２】
病院用ベッドの患者移動補助装置であって、前記患者移動補助装置は、
前記横材の長さが前記病院用ベッドの幅に沿って配向されるように前記病院用ベッドのフレームに連結された横材と、
前記横材の第１端部に対して伸縮する前記横材に連結された第１アームと、
前記第１アームの末端に連結された第１グリップと、
前記横材の第２端部に対して伸縮する前記横材に連結された第２アームと、
前記第２アームの末端に連結された第２グリップと
を備え、前記第１及び第２アームが前記横材に対して伸縮する間に前記各グリップが弓状の経路に沿って動くように前記第１及び第２アームは湾曲している、患者移動補助装置。
【請求項１３】
前記横材は、中央部分と前記中央部分の各端部に配置された一対の末端金具とを備え、前記第１及び第２アームは曲線管状部分を有し、前記管状部分の各第１端部がそれぞれグリップを備えている、請求項１２に記載の患者移動補助装置。
【請求項１４】
前記曲線状アームはそれぞれ前記管状部分の各第２端部の内側に摺動しながら噛み合うロックレバーを有する、請求項１３に記載の患者移動補助装置。
【請求項１５】
前記各レバーは前記管状部分から突き出る円形の末端を有し、また前記一対の末端金具内に形成された前記各ガイドチャネルの各内壁に沿って画定される各くぼみと噛み合う各横方向延長部が設けられている、請求項１４に記載の患者移動補助装置。
【請求項１６】
前記各レバーには、前記一対の末端金具内に形成された前記各ガイドチャネルの各内壁に沿って画定される各くぼみと噛み合う各横方向延長部が設けられている、請求項１４に記載の患者移動補助装置。
【請求項１７】
前記各レバーの前記各横方向延長部はそれぞれピンによって設けられており、前記各レバーを前記各曲線管状部分の内側に向かって押すために、第1バネが前記各レバーの空洞内に設置され、さらに各ピンと各空洞の底との間に挿入される、請求項１６に記載の患者移動補助装置。
【請求項１８】
前記各レバーの内側の末端にはロックを形成する横方向の押しボタンが設けられ、前記管状部分にはそれぞれ前記押しボタン付近に位置する穴が設けられ、第２バネが前記各押しボタンに取り付けられ、前記各押しボタンが前記各穴に面した位置に達した場合に前記押しボタンを押して前記各穴にはまるようにするために、前記第２バネは前記曲線管状部分の内壁と摺動接触している、請求項１７に記載の患者移動補助装置。
【請求項１９】
前記第１及び第２グリップはそれぞれ楕円形の断面のらせん状セグメントを含む、請求項１２に記載の患者移動補助装置。
【請求項２０】
前記第１及び第２グリップはそれぞれ曲線状のハンドルを含む、請求項１２に記載の患者移動補助装置。
【発明の詳細な説明】
【技術分野】
【０００１】
本発明は、患者移動補助装置を備えた病院用ベッドに関連し、より具体的には、複数の格納式横方向グリップが取り付けられたベッドに適応可能な部分組立品に関し、これにより患者がベッドで起き上がったりまたは横になったりできるようになり、また患者の状態が許すならば、ベッドに入ったり出たりすることを可能にする。
【背景技術】
【０００２】
異なるタイプの病院用ベッドが知られているが、転落のリスクをなくすことにより患者を完全に保護するために、一般に筐体上部に蝶着された側面の柵を備え、前記筐体に沿って折り畳むことができる。患者が快適であるように、就寝面は各横断軸に沿って互いに蝶着された幾つかの部分を含む。特に、（それ自体が細分され得る）中央部分の両側に蝶着された頭部フレームと足部フレームとが区別され得る。回復期においては、側面の柵を下げて、患者が各横方向グリップを用いて起き上がったり又は横になったりできることが望ましい。
【０００３】
＜関連する出願への相互参照＞
本出願は、２０１０年１月１８日に出願された仏国特許出願第１０５０２９９号の米国特許法第１１９条（ｅ）項に基づく優先権を主張し、また本出願は、２００９年７月１７日に出願された米国仮特許出願第６１／２２６，４８６号の米国特許法第１１９条（ｅ）項に基づく優先権を主張し、双方の内容を参照により本願に援用する。
【発明の概要】
【発明が解決しようとする課題】
【０００４】
本発明の各態様によると、各横方向グリップがベッドに連結されるようにする部分組立品が設けられている。本明細書において検討された幾つかの実施形態によると、前記各グリップは、就寝面のレベルで格納可能であり、配置されたときに就寝面の平面より上及び就寝面のわずかに外側に位置することができる。例示された実施形態によって、本開示の態様が実現される。
【課題を解決するための手段】
【０００５】
さらに具体的には、本明細書において考察される各実施形態は、患者移動補助装置を備えた病院用ベッドに関し、前記装置は前記ベッドの幅に沿って配向された長さの支持横材を備えることができ、該横材の両端のそれぞれに前記ベッドの横方向の要素に取り付ける形状及び大きさにした取付け手段を設け、前記横材は中空でグリップを終端とする少なくとも１つのアームを収納でき、前記グリップが前記横材のそれぞれの末端付近にある保管位置からベッドの縁の上方及び外側に位置する使用位置に移動できるように、前記アームは横材と共に伸縮構造を画定できることを特徴とする。
【０００６】
幾つかの実施形態によると、グリップの１つ以上の安定位置を保管位置と最大限にまで伸張した位置との間に画定することができる。また、単に保管位置と使用位置の２つの位置を有することもできる。
【０００７】
幾つかの実施形態では、移動補助装置は２つのアームを備えており、該アームはそれぞれの末端にグリップがあり、前記横材の各末端から突き出している。
【０００８】
幾つかの実施形態によると、本装置は中間部分及び前記中間部分の各末端にそれぞれ配置された２つのガイド末端金具を備え、上述のように取付け手段は、横方向に外側に開いた当該ガイド末端金具で画定されるU型ブラケットから成り、前記ブラケットの高さは前記ベッドのフレームの長手要素の厚みに対応し、その結果前記横材は前記フレームと平行な２つの当該長手要素の間に取り付けられることを特徴とする。
【０００９】
幾つかの実施形態によると、本装置はさらにアームまたは各アームが曲線状であること、及び各ガイド末端金具は全体的に上行するガイドチャネルを内部に備えることを特徴とし、そこでアームは摺動し、前記チャネルは、前記中間部分の対応する末端で噛み合う前記末端金具の開口部と前記取付け手段上で画定される上部出口との間に延在している。
【００１０】
上記に列挙された特徴及び請求項に列挙された特徴などの単独または他の特徴との組み合わせによる追加的な特徴は、特許性のある対象を備えており、現在理解されるような各実施形態を実施するための最良の形態を例証するさまざまな実施形態の以下の詳細な説明を考慮することによって当業者にとって明らかになるであろう。
【００１１】
詳細な説明は添付の各図面を特に参照する。
【図面の簡単な説明】
【００１２】
【図１】一方が就寝面の頭部フレームに取り付けられ、もう一方が足部フレームに取り付けられている２つの患者移動補助装置を備えた病院用ベッドの全体斜視図である。
【図２】当該患者移動補助装置の分解斜視図である。
【図３】本装置の動力学を示している横断概略図であり、グリップが右側の保管位置及び左側の使用位置に示されている。
【図４】図１のベッド上の患者移動補助装置の設置を示す部分斜視図である。
【図５】図１のベッド上の患者移動補助装置の設置を示す部分斜視図である。
【図６】図１のベッド上の患者移動補助装置の設置を示す部分斜視図である。
【図７】図１のベッド上の患者移動補助装置の設置を示す部分斜視図である。
【図８】図１のベッド上の患者移動補助装置の設置を示す部分斜視図である。
【図９】グリップのバリエーションを示している詳細斜視図である。
【図１０】図９の矢印Xから見た図である。
【図１１】図１０の矢印Ｘ１から見た図である。
【発明を実施するための形態】
【００１３】
各図を参照すると、病院用ベッド１１が示されており、図示された実施形態においては、当該病院用ベッド１１は就寝面を形成する筐体上部１３を備え、該就寝面は図示されていないマットレスを置くことになっている。図示された実施形態において、筐体上部はパネル１６で覆われた頭部フレーム１５、及びパネル１８で覆われた足部フレーム１７を備える。２つのフレームは中央部分２０（それ自体が２つのパネルを含む）の両側に蝶着される。さらにベッドはヘッドボード２２、フットボード２３及び２つの側面の柵２４も備えており、筐体上部１３の下部で折り畳むことができる。従って、２つのフレーム１５及び１７は、中央部分２０の両側に蝶着されて回動することにより上昇できる。
【００１４】
開示された実施形態の一態様によると、ベッド１１は少なくとも１つ（この例では２つ）の患者移動補助装置２５を備えており（図３参照）、それによって前記患者が、特に起き上がったり、又は横になったり、或いは患者が可能な場合にはベッドに入ったり出たりするといった特定の動作を行なうことができるようにする。
【００１５】
図示された実施例によると、各装置２５のうちの１つが頭部フレーム１５に取り付けられており、もう一方が足部フレーム１７に取り付けられている。
【００１６】
各装置２５は、ベッド１１の幅に対応した（すなわち幅に沿って配向された）長さの支持横材２７と、グリップ３１を終端としている少なくとも１つ（好ましくは２つ）のアーム２９とを備える。グリップが保管位置にある場合、横材は、アーム２９または各アーム２９を収納するために中空になっている。言い換えれば、対応するグリップ３１が、横材２７の各端部付近の保管位置からベッド１１の縁の上方及び外側に位置する使用位置に移動できるように、各アーム２９は横材２７と共に伸縮構造を画定する。
【００１７】
図示された実施例によると、装置２５は２つのアーム２９を備えており、各アームはグリップ３１を終端として、横材２７の各端部の１つにおいて突き出ている。
【００１８】
より具体的には、横材２７は、レールタイプのＣ型金属構造形状から形成された直線的中間部分３２、床に面している開放部分、及び前記中間部分３２の各末端に配置された２つのガイド末端金具３４を備える。ここでは各ガイド末端金具３４は、全体的に対称で、プラスチック素材でできた、各ネジで組み立てられる２つのシェル（shell）３５から成り、これにより前記中間部分３２の各末端の周りにぴったりと嵌合して前記中間部分を拡張する。各末端金具３４は、中間部分３２の各末端に取り付けられて結合する。
【００１９】
このように構築された支持横材２７は、前記ベッド１１の側面の要素（この場合は筐体のフレーム）に取り付ける形状及び大きさにした取付け手段又はカップラーを各末端のそれぞれに備え付ける。より具体的には、横材２７は、頭部フレーム１５または足部フレーム１７の２つの平行な長手要素３７の間に取り付けられる。このように、横材２７は、フレーム１５または１７の２つの平行な長手要素３７の間に、ベッドの縦方向の面に垂直に取り付けることができる。
【００２０】
記載の実施例においては、各ガイド末端金具３４は、Ｕ型ブラケット４０から成り、横方向に外側に開いているような１つのカップラー又は取付け手段を備える。
【００２１】
ブラケット４０の開口の高さは、一般に長手要素３７の厚みに対応する。例えば、末端金具３４の下部に複数のネジによって取り付けられたアーム４２など、ブラケット４０の少なくとも１つのアームには十分な柔軟性があり、このアーム４２上に突起４４があっても、ブラケット４０を要素３７上に固定できる。前記突起４４は、前記患者移動補助装置の組立品をベッドフレームに取り付けるために、長手要素３７内の対応する穴４６（図５参照）と協働することができる。
【００２２】
例えば、図４から図８は、装置２５を足部フレーム１７に組立て及び取り付けることを示している。当該組立は、まずパネル１８を上昇させて、次に横材２７を斜めに取り付けて、２つのブラケット４０を要素３７の間に取り付ける（図４及び図５）。
【００２３】
図５は、要素３７の下部にある該要素の１つの穴４６を示す。次に図６及び図７では、各ブラケットの突起４４がそれぞれの穴に挿入されるまで、装置２５全体を回動させる。最後に、パネル１８を元に戻すが（図８参照）、前記パネル１８には切抜きがあり、これによりベッド１１の両側のガイド末端金具３４の各末端部分を通すことができる。図示の実施形態において、側面の柵２４を上げた時、同じ側に位置する装置のアーム２９を上げることができないことが分かるであろう。
【００２４】
図示された実施例によると、各アーム２９は曲線状であり、該曲線部分はグリップ３１を除いて、中間部分３２とそれぞれの末端金具３４の内側に完全に収納することができる（図３の右側を参照）。
【００２５】
これを達成するために、各ガイド末端金具３４は、全体的に上行し、アーム２９が部分的に収納及び摺動するガイドチャネル４７を内部に備える。チャネル４７は、前記中間部分３２の対応する末端でかみ合う前記末端金具３４の開口部４９と、前記取付け手段、すなわちブラケット４０上に画定された上部出口５１との間に延在する。
【００２６】
末端金具３４は比較的柔軟なプラスチック素材でできているため、末端金具３４に弾性的に強制挿入することによりグリップ３１の位置を安定させることが可能である。より正確に言えば、幾つかの実施形態において、前記末端金具３４は、前記グリップ３１を保管位置に固定するためにガイドチャネルの上部出口５１付近に画定されたグリップ３１の弾性挿入くぼみ４８を備えている。
【００２７】
各ガイドチャネル４７は、凹面底部５２を画定している非常に幅広いＶ型の開口部を有する下壁を備え、以下に見られるように、アームの下方端は使用位置において支持及び安定している（図３の左側参照）ことに留意しなければならない。
【００２８】
各アーム２９は曲線の管状部分５４を備え、その一端５６（上部）はグリップ３１を取り付けるために平らになっている。図示の実施例において、前記グリップは常に末端金具３４の上部出口５１から突き出ている。
【００２９】
ロックレバー５８は管状部分５４の他端の内部で摺動自在に連結している。ロックレバー５８は円形の末端６０を備え、玉継ぎ手のようなものを形成し、管状部分５４から突き出ている。この円形の末端６０は、ガイドチャネル４７の内壁に沿って画定される各くぼみ６４と噛み合う２つの横方向延長部６２を備える。管状部分５４にもまた、この末端付近に、前記くぼみ６４と噛み合う横断ピン６５が設けられている。これらの各くぼみ６４により、アーム２９が上方に引っ張られると、レバーの円形の末端６０は末端金具３４を貫通して前述したガイドチャネルの凹面底部５２に到達する。同じ経路において、ピン６５の各末端には、各くぼみ６４のより細い上行延長部６７内で隙間がある。前記各延長部６７は、ピン６５の停止位置を構成する閉じた上端部を有する。
【００３０】
コイルバネ６９は、レバー５８の空洞７０内に設置される。該バネは、図３の右側に見られるように、前記レバー５８を曲線管状部分５４の内側に向かって押すために、ピン６５と前記空洞の底との間に挿入される。さらに、管状部分５４にはめこまれたレバー５８の内側末端には、横方向の押しボタン７４が設けられている。管状部分５４には、押しボタン７４付近に位置する穴７６が（図３の右側の押しボタン７４の左側に）設けられ、板バネ７９は押しボタン７４に取り付けられて曲線管状部分５４の内壁と摺動接触している。従って、前記押しボタン７４は、相対運動がレバー５８と曲線状部分５４との間で生じた場合、穴７６に面した位置に達した時に、穴７６の中に嵌入するように押される。操作は以下の通りである。
【００３１】
患者移動補助装置を使用したい場合、グリップ３１を取り出し、上方及び外側に引っ張る。まず、レバー５８を引きながら、アームアセンブリをガイド空洞７０に滑り込ませる。経路の末端に向かって、円形の末端６０を各くぼみ６４によってガイドし、アームを立てる。経路の末端で、ピン６５の各末端が各くぼみの各延長部６７にはまり、これによりバネ６９の圧縮、ひいては曲線管状部分５４とレバー５８との間の相対運動を生じさせる。この動きによって、（ロックを形成する）押しボタン７４が穴７６にはまる。この時点での状態は図３の左側に示される通りであり、わずかに伸張して今や長さが固定されたアームは、底部５２と上部出口５１との間のくさび留め（wedging）効果によって立位に保持される。アーム２９とそのグリップを保管位置に戻すには、グリップ３１を押し下げながら、押しボタン７９を押して曲線管状部分５４に入りこませる。
【００３２】
各患者移動補助装置２５は可変ピッチの回動フレーム１５、１７上に取り付けられているため、フレームの位置決め（ピッチ）を行うことが患者の形態によってグリップの位置（高さ）を調整することを可能にすることを留意すべきである
図９〜１１に示す一変形例によると、患者が起き上がる際に握り易いように、グリップ１３１は、前記アーム２９への取付け地点の片側に、前記取付け地点を越えて延在する曲線状ハンドル１３２を備えている。本明細書におけるハンドル１３２は下向きに湾曲している。さらに、前記グリップ１３１は、楕円形の断面のらせん状セグメント１３４により、アーム２９への取付け地点の反対側に伸張し、グリップの反り返りに逆らいながら患者がまっすぐ座る時の最後の段階の推力を促進する。これら２つの機能は独立しており、特にらせん状セグメント１３４は、ハンドル１３２の付いた、または付いていない前記グリップ１３１の主要部分を構成することができ、ハンドルがある場合は異なる形状であってもよい。
【００３３】
特定の例示的な各実施形態を上記に詳細に説明してきたが、本明細書に記載及び以下の請求項に定義されるように、本開示の信念及び範囲内おいて多くの実施形態、変更および変形がさらに可能である。
【図１】
2011019919.tif 000003
【図２】
2011019919.tif 000004
【図３】
2011019919.tif 000005
【図４】
2011019919.tif 000006
【図５】
2011019919.tif 000007
【図６】
2011019919.tif 000008
【図７】
2011019919.tif 000009
【図８】
2011019919.tif 000010
【図９】
2011019919.tif 000011
【図１０】
2011019919.tif 000012
【図１１】
2011019919.tif 000013
【外国語明細書】
2011019919.tif 000014
2011019919.tif 000015
2011019919.tif 000016
2011019919.tif 000017
2011019919.tif 000018
2011019919.tif 000019
2011019919.tif 000020
2011019919.tif 000021
2011019919.tif 000022
2011019919.tif 000023
2011019919.tif 000024
2011019919.tif 000025
2011019919.tif 000026
2011019919.tif 000027
2011019919.tif 000028
2011019919.tif 000029
2011019919.tif 000030
2011019919.tif 000031